(57)【要約】【課題】  低温における過酸化水素または過酸化物の漂白活性を増大し、製造が容易であり、かつ、漂白液の著しい着色を生じさせない漂白活性化触媒、及び、該漂白活性化触媒を含有する漂白剤組成物の提供。【解決手段】  下記構造式（Ｉ）で表される配位子と、マンガンとからなることを特徴とする漂白活性化触媒である。該漂白活性化触媒と、過酸化水素または水溶液中で過酸化水素を発生する過酸化物とを含有する漂白剤組成物である。【化１】2006061832.tif 000016【選択図】        なし【特許請求の範囲】
【請求項１】
下記構造式（Ｉ）で表される配位子と、マンガンとからなることを特徴とする漂白活性化触媒。
【化１】
2006061832.tif 000015
前記構造式（Ｉ）において、Ａ及びＢは、水酸基、カルボキシル基、又はアルキル基で置換されていてもよいアミノ基を表し、それぞれ同一であっても異なっていてもよい。Ｘ及びＹは、ｐＨ１〜１０の範囲において、プロトン解離によりアニオンとならない置換基を表し、それぞれ同一であっても異なっていてもよい。ｐ及びｑは、０〜２の整数を表し、それぞれ同一であっても異なっていてもよい。ｍ及びｎは、１〜３の整数を表し、それぞれ同一であっても異なっていてもよい。
【請求項２】
構造式（Ｉ）中、Ａ及びＢが、それぞれ水酸基である請求項１に記載の漂白活性化触媒。
【請求項３】
構造式（Ｉ）中、ｍ及びｎが、それぞれ２である請求項１から２のいずれかに記載の漂白活性化触媒。
【請求項４】
構造式（Ｉ）中、Ｘ及びＹが、それぞれ水酸基であり、かつ、ｐ及びｑがそれぞれ１である請求項１から３のいずれかに記載の漂白活性化触媒。
【請求項５】
構造式（Ｉ）中、ｐ及びｑがそれぞれ０である請求項１から３のいずれかに記載の漂白活性化触媒。
【請求項６】
（ａ）請求項１から５のいずれかに記載の漂白活性化触媒と、（ｂ）過酸化水素、または水溶液中で過酸化水素を発生する過酸化物とを含有することを特徴とする漂白剤組成物。
【発明の詳細な説明】
【技術分野】
【０００１】
本発明は、過酸化水素または過酸化物を活性化して漂白作用を行う漂白活性化触媒、並びに、衣類などに付着した染みや汚れの漂白などを行うために広く用いることができる漂白剤組成物に関する。
【背景技術】
【０００２】
従来から、過酸化水素及び水溶液中で過酸化水素を遊離する無機の過酸化物は、色柄ものの布地などの漂白に使用できることから、衣料用漂白剤組成物の有効成分として広く使用されている。しかし、これらの低温における漂白効果は比較的低いため、漂白活性化能を有する有機過酸前駆体や金属錯体などを併用してなる漂白活性化剤が提案されている。
【０００３】
前記有機過酸前駆体は、漂白液中で過酸化水素と反応して有機過酸を生成することにより漂白効果を発揮するものであるが、過酸化水素と等モル量必要であることから、コスト面や環境に及ぼす影響の点から、満足するものとはいえない。
また、前記金属錯体としては、１，４，７−トリメチル−１，４，７トリアザシクロノナンなどの環状ポリアミン系の配位子とマンガンとの組み合わせによる触媒などが提案されているが、性能及び安定性の点で満足するものとはいえず、また、製造が容易ではないという問題がある。
【０００４】
一方、過酸化水素の漂白活性を増大させる錯体として、エチレンジアミンと、サリチルアルデヒド及びその誘導体から合成されるシッフ塩基を配位子とするマンガン錯体が開示されている（特許文献１及び２参照）。しかし、このマンガン錯体は、過酸化水素と共存させることにより、漂白液が茶褐色から黒色に着色してしまうという問題がある。
【０００５】
他方、漂白対象物である染みや汚れ、及びそれらが付着した繊維類のほとんどがアニオン性を示す。そこで、静電相互作用の点から、該金属錯体は漂白液中において少なくともアニオン性を示さないことが好ましく、カチオン性であることがより好ましい。しかしながら、前記特許文献１では、漂白液中において、プロトン解離によりアニオン性を示す置換基が導入された配位子が提案されており、この錯体からなる漂白組成物は、漂白対象物への接近が困難となり、十分な活性化効果が得られない可能性がある。
【０００６】
よって、低温における過酸化水素または過酸化物の漂白活性を増大し、製造が容易であり、かつ、漂白液の著しい着色を生じさせない漂白活性化触媒、及び、該漂白活性化触媒を含有する漂白剤組成物は未だ提供されておらず、さらなる改良が望まれているのが現状である。
【０００７】
【特許文献１】特表２０００−５００５１８公報
【特許文献２】特開２００２−１３８２９９公報
【発明の開示】
【発明が解決しようとする課題】
【０００８】
本発明は、低温における過酸化水素または過酸化物の漂白活性を増大し、製造が容易であり、かつ、漂白液の著しい着色を生じさせない漂白活性化触媒、及び、該漂白活性化触媒を含有する漂白剤組成物を提供することを目的とする。
【課題を解決するための手段】
【０００９】
前記課題を解決するため、本発明者らが鋭意検討を重ねた結果、中心の窒素が２級であるトリアミンと、特定のアルデヒドとから構成されるシッフ塩基を配位子とし、マンガンと組み合わせてなる漂白活性化触媒を用いることにより、前記課題を解決しうることを見出し、本発明を完成するに至った。
【００１０】
本発明は、本発明者による前記知見に基づくものであり、前記課題を解決するための手段としては、以下の通りである。即ち、
＜１＞  下記構造式（Ｉ）で表される配位子と、マンガンとからなることを特徴とする漂白活性化触媒である。
【化２】
2006061832.tif 000002
前記構造式（Ｉ）において、Ａ及びＢは、水酸基、カルボキシル基、又はアルキル基で置換されていてもよいアミノ基を表し、それぞれ同一であっても異なっていてもよい。Ｘ及びＹは、ｐＨ１〜１０の範囲において、プロトン解離によりアニオンとならない置換基を表し、それぞれ同一であっても異なっていてもよい。ｐ及びｑは、０〜２の整数を表し、それぞれ同一であっても異なっていてもよい。ｍ及びｎは、１〜３の整数を表し、それぞれ同一であっても異なっていてもよい。
＜２＞  構造式（Ｉ）中、Ａ及びＢが、それぞれ水酸基である前記＜１＞に記載の漂白活性化触媒である。
＜３＞  構造式（Ｉ）中、ｍ及びｎが、それぞれ２である前記＜１＞から＜２＞のいずれかに記載の漂白活性化触媒である。
＜４＞  構造式（Ｉ）中、Ｘ及びＹが、それぞれ水酸基であり、かつ、ｐ及びｑがそれぞれ１または２である前記＜１＞から＜３＞のいずれかに記載の漂白活性化触媒である。
＜５＞  構造式（Ｉ）中、ｐ及びｑがそれぞれ０である前記＜１＞から＜３＞のいずれかに記載の漂白活性化触媒である。
＜６＞  （ａ）前記＜１＞から＜５＞のいずれかに記載の漂白活性化触媒と、（ｂ）過酸化水素、または水溶液中で過酸化水素を発生する過酸化物とを含有することを特徴とする漂白剤組成物である。
【発明の効果】
【００１１】
本発明によると、低温における過酸化水素または過酸化物の漂白活性を増大し、製造が容易であり、かつ、漂白液の著しい着色を生じさせない漂白活性化触媒、及び、該漂白活性化触媒を含有する漂白剤組成物を提供することができる。
【発明を実施するための最良の形態】
【００１２】
（漂白活性化触媒）
本発明の漂白活性化触媒は、下記構造式（Ｉ）で表される配位子と、マンガンとからなり、通常、マンガンに下記構造式（Ｉ）で表される配位子が配位してなるマンガン錯体の構造を有する。
【００１３】
＜配位子＞
本発明の漂白活性化触媒は、下記構造式（Ｉ）で表される配位子を含む。前記配位子は、１種または２種以上の混合物として使用することができる。
【化３】
2006061832.tif 000003
【００１４】
前記構造式（Ｉ）において、Ａ及びＢは、水酸基、カルボキシル基、又はアルキル基で置換されていてもよいアミノ基を表し、それぞれ同一であっても異なっていてもよい。
これらの中で、Ａ及びＢが、それぞれ水酸基であることが好ましい。
【００１５】
前記構造式（Ｉ）において、Ｘ及びＹは、ｐＨ１〜１０の範囲において、プロトン解離によりアニオンとならない置換基を表し、それぞれ同一であっても異なっていてもよい。ｐＨ１〜１０の範囲において、プロトン解離によりアニオンとならない置換基としては、例えば、水酸基、アミノ基、ニトロ基、スルホアミド基、アルコキシル基などが挙げられる。
また、前記構造式（Ｉ）において、ｐ及びｑは、０〜２の整数を表し、それぞれ同一であっても異なっていてもよい。
これらの中で、Ｘ及びＹが、それぞれ水酸基であり、かつ、ｐ及びｑが１であることが好ましい。また、ｐ及びｑが０であることが好ましい。
【００１６】
前記構造式（Ｉ）において、ｍ及びｎは、１〜３の整数を表し、それぞれ同一であっても異なっていてもよい。
これらの中で、ｍ及びｎが、それぞれ２であることが好ましい。
【００１７】
前記構造式（Ｉ）で表される配位子としては、例えば、下記構造式（１）から（５）で表されるものが挙げられ、これらの中でも、構造式（４）及び（５）で表される配位子が好ましく、構造式（５）で表される配位子が特に好ましい。
【００１８】
【化４】
2006061832.tif 000004
【００１９】
【化５】
2006061832.tif 000005
【００２０】
【化６】
2006061832.tif 000006
【００２１】
【化７】
2006061832.tif 000007
【００２２】
【化８】
2006061832.tif 000008
【００２３】
前記配位子の合成方法としては、特に制限は無く、例えば、適当な有機溶媒中で、目的のトリアミンと芳香族系アルデヒドとを混合した後、該有機溶媒を減圧留去する方法などが挙げられる。具体的には、前記構造式（３）〜（５）については、後述する合成例１〜３に記載の方法により合成することができる。
【００２４】
＜マンガン＞
前記マンガンは、前記配位子が配位したマンガン錯体のマンガン源として添加される。本発明の漂白活性化触媒としては、前記配位子と前記マンガンとが、それぞれ別の化合物として配合されてもよい。
前記マンガンとしては、水溶液中でマンガンイオンを放出し、前記配位子からなる錯体構造を形成可能なマンガン化合物であれば、特に制限はなく、目的に応じて適宜選択することができ、例えば、水溶性塩、有機溶媒可溶性塩、及び過マンガン酸カリウムなどが挙げられる。
前記水溶性塩としては、例えば、硝酸マンガン、硫酸マンガン、塩化マンガン、酢酸マンガン、過塩素酸マンガン、マンガンアセチルアセトナートなどが挙げられる。
【００２５】
前記マンガン錯体の対イオンとしては、マンガン化合物由来のものであってもよく、目的に応じて対イオン交換したものでもよい。好適な対イオンとしては、例えば、Ｃｌ−、Ｂｒ−、Ｉ−、ＮＯ３−、ＣｌＯ４−、ＮＣＳ−、ＰＦ６−、ＯＡｃ−、ＢＰｈ４−、ＣＦ３ＳＯ３−、Ｒ１ＳＯ３−、Ｒ１ＳＯ４−などが挙げられる。ここで、Ｒ１としては、例えば、炭素数１〜３のアルキル基が挙げられる。
【００２６】
前記マンガンには、前記配位子の他に、水、水酸基、フェノール性水酸基、アミノ基、カルボン酸基、チオール基、ハロゲン原子などが配位してもよい。
【００２７】
前記マンガン錯体は、単核であっても、多核であってもよく、多核の形態をとる場合の架橋種としては、酸素、硫黄、ハロゲン原子、アセテート、ブチラート、アルコキシド、チオラート、アミド、チオール、ペルオキシド、水酸基などが挙げられる。
【００２８】
前記マンガンの含有量は、前記漂白活性化触媒の漂白浴中、金属として０．００５〜３００ｐｐｍとなるように添加するのが好ましく、０．０５〜３０ｐｐｍがより好ましい。
【００２９】
また、本発明の漂白活性化触媒は、マンガン以外の遷移金属を含んでいてもよく、水溶液中において金属イオンを放出する遷移金属の化合物を用いることができる。
【００３０】
（漂白剤組成物）
本発明の漂白剤組成物は、（ａ）前記漂白活性化触媒と、（ｂ）過酸化水素、または水溶液中で過酸化水素を発生する過酸化物とを含有し、さらに必要に応じて、界面活性剤などのその他の成分を含有する。
【００３１】
＜（ａ）漂白活性化触媒＞
前記漂白活性化触媒としては、上述した前記構造式（Ｉ）で表される配位子と前記マンガンとを含む漂白活性化触媒が用いられ、その配合量としては、漂白剤組成物全量に対し、０．０１〜５００ｐｐｍが好ましく、０．１〜５０ｐｐｍがより好ましい。
【００３２】
＜（ｂ）過酸化水素、または水溶液中で過酸化水素を発生する過酸化物＞
前記水溶液中で過酸化水素を発生する過酸化物（ペルオキシ化合物）としては、例えば、アルカリ金属の過炭酸塩、過硼酸塩、過燐酸塩、過珪酸塩、過硫酸塩などが挙げられ、これらの中でも、過硼酸ナトリウム、過炭酸ナトリウム、及びこれらの水和物が好ましい。
【００３３】
前記（ｂ）過酸化水素、または水溶液中で過酸化水素を発生する過酸化物の配合量としては、漂白浴中における過酸化水素濃度として、０．０１〜４０％が好ましく、０．１〜５％がより好ましい。
【００３４】
＜その他の成分＞
本発明の漂白剤組成物には、その他の成分として、各種界面活性剤、過酸前駆体、キレート剤、ビルダー、酵素、香料、蛍光剤、繊維損傷防止剤、シリコーン等の抑泡剤、過酸化物の安定化剤、及び金属イオン（Ｃａ、Ｍｇ、Ｓｉ、Ａｌ、及びＺｎ等）などを併用することができる。特に、漂白浴中のｐＨが１〜１０、好ましくはｐＨ８〜１０となるように、前記ビルダー、及びｐＨ緩衝剤を含有させることが好ましい。
【００３５】
−界面活性剤−
前記界面活性剤としては、特に制限はなく、目的に応じて適宜選択でき、例えば、アルキルベンゼンスルホン酸、アルキル硫酸、アルキルポリエトキシエーテル硫酸、アルキルフェニルエーテル硫酸エステル、パラフィンスルホン酸、α−オレフィンスルホン酸、α−スルホカルボン酸及びそれらのエステル等の水溶性塩、石鹸等のアニオン界面活性剤；ポリオキシアルキルエーテル、ポリオキシアルキルフェニルエーテル等のエトキシ化ノニオン、シュガーエステル、グルコシドエステル、メチルグルコシドエステル、エチルグルコシドエステル、アルキルポリグルコキシド等の糖系活性剤、アルキルジエタノールアミド、脂肪酸Ｎ−アルキルグルカミド等のアミド系活性剤等のノニオン界面活性剤；アルキルカルボキシベタイン、アルキルスルホキシベタイン、アルキルアミドプロピルベタイン、アルキルアラニネート等のアミノカルボン酸塩、イミダゾリン誘導体、アルキルアミンオキシド等の両性界面活性剤；アルキルトリメチルアンモニウム塩、ジアルキルジメチルアンモニウム塩等のカチオン界面活性剤などが挙げられる。これらの界面活性剤の含有量としては、前記漂白剤組成物中、０〜４０％が好ましい。
【００３６】
−過酸前駆体−
前記過酸前駆体は、酸化水素と反応してペルオキソ化合物を生成するものであれば、特に制限はなく、目的に応じて適宜選択でき、例えば、デカノイルオキシ安息香酸、ドデカノイルオキシベンゼンスルホン酸ナトリウム、ノナノイルオキシベンゼンスルホン酸ナトリウム等が挙げられる。これらの中でも、漂白効果の点から４−デカノイルオキシ安息香酸、４−ノナノイルオキシベンゼンスルホン酸ナトリウムが好ましく、退色抑制効果の点から、４−デカノイルオキシ安息香酸、４−ドデカノイルオキシベンゼンスルホン酸ナトリウムが好ましい。
【００３７】
−ビルダー−
前記ビルダーとしては、特に制限はなく、目的に応じて適宜選択でき、例えば、ゼオライト等のアルミノ珪酸塩、層状珪酸塩、アルカリ金属の炭酸塩、炭酸水素塩、硼酸塩、燐酸塩、ポリ燐酸塩、及びトリポリ燐酸塩などの無機ビルダー；ニトリロトリ酢酸、乳酸、クエン酸、グリコール酸、コハク酸、及びポリアクリル酸等のポリカルボン酸塩などの有機ビルダーが挙げられる。
【００３８】
本発明の漂白剤組成物は、低温（例えば、５〜３０℃）で優れた漂白効果を示す。
また、本発明の漂白剤組成物は、漂白浴中のｐＨが８〜１０で優れた漂白効果を示す。
【００３９】
本発明の漂白剤組成物の被漂白物としては、特に制限は無いが、例えば、衣類、布巾、絨毯などに付着した染み、有機物汚れが挙げられる。前記染みとしては、カレー、ワイン、果汁、トマトケチャップ、ソース、醤油、血液、草汁、紅茶、及びコーヒーなどによる染みが挙げられる。
【００４０】
本発明の漂白活性化触媒を含んでなる本発明の漂白剤組成物は、低温における過酸化水素または過酸化物の漂白活性を増大し、製造が容易であり、かつ、漂白液の著しい着色を生じさせない。
また、本発明の漂白剤組成物は、漂白液の著しい着色を生じさせないため、漂白効果を容易に目視で確認することができる。
【実施例】
【００４１】
以下、本発明の実施例について説明するが、本発明はこの実施例に何ら限定されるものではない。
【００４２】
（合成例１）
−配位子Ａの合成−
ジエチレントリアミン１．６８ｇ（１６．２８ｍｍｏｌ）のメタノール溶液５０ｍＬとサリチルアルデヒド３．９９ｇ（３２．６７ｍｍｏｌ）のメタノール溶液５０ｍＬとを混合し、室温で１０分間攪拌した。続いて溶媒を減圧留去することにより、黄色液体状の下記構造式（５）で表される配位子Ａを得た。収率は１００％であった。
【００４３】
【化９】
2006061832.tif 000009
【００４４】
（合成例２）
−配位子Ｂの合成−
ジエチレントリアミン１．６９ｇ（１６．３８ｍｍｏｌ）のメタノール溶液５０ｍＬと２，４−ジヒドロキシベンズアルデヒド４．５２ｇ（３２．７２ｍｍｏｌ）のメタノール溶液５０ｍＬとを混合し、室温で１０分間攪拌した。続いて溶媒を減圧留去することにより、黄色固体状の下記構造式（４）で表される配位子Ｂを得た。収率は１００％であった。
【００４５】
【化１０】
2006061832.tif 000010
【００４６】
（合成例３）
−配位子Ｃの合成−
ジエチレントリアミン１．６９ｇ（１６．３８ｍｍｏｌ）のメタノール溶液５０ｍＬとフタルアルデヒド酸４．９２ｇ（３２．７７ｍｍｏｌ）のメタノール溶液５０ｍＬとを混合し、室温で２時間攪拌した。続いて溶媒を減圧留去することにより、黄色固体状の下記構造式（３）で表される配位子Ｃを得た。収率は１００％であった。
【００４７】
【化１１】
2006061832.tif 000011
【００４８】
（合成例４）
−漂白活性化触媒（マンガン錯体Ｄ）の合成−
前記合成例１で得た配位子Ａ１．０４ｇ（３．２ｍｍｏｌ）と、塩化マンガン４水和物０．６３ｇ（３．２ｍｍｏｌ）とを２０ｍＬのメタノール中に溶解し、室温で４日間放置した。生成した結晶をろ過で回収し、メタノールで洗浄した後、乾燥することにより配位子Ａのマンガン錯体Ｄを得た。収量は０．５４ｇであった。
【００４９】
（合成例５）
−漂白活性化触媒（マンガン錯体Ｅ）の合成−
前記合成例２で得た配位子Ｂ１．１０ｇ（３．２ｍｍｏｌ）と、塩化マンガン４水和物０．６３ｇ（３．２ｍｍｏｌ）とを、５０ｍＬのジメチルホルムアミド中に溶解し、室温で３週間放置した。生成した結晶をろ過で回収し、メタノールで洗浄した後、乾燥することにより配位子Ｂのマンガン錯体Ｅを得た。収量は０．３３ｇであった。
【００５０】
（比較合成例１）
−漂白活性化触媒（マンガン錯体Ｆ）の合成−
下記構造式（６）で表される配位子１．６４ｇ（３．２ｍｍｏｌ）と、塩化マンガン４水和物０．６３ｇ（３．２ｍｍｏｌ）とを、５０ｍＬのジメチルホルムアミド中に溶解し、室温で３週間放置した。生成した結晶をろ過で回収し、メタノールで洗浄した後、乾燥することによりマンガン錯体Ｆを得た。収量は０．２３ｇであった。
【００５１】
【化１２】
2006061832.tif 000012
【００５２】
（比較合成例２）
−漂白活性化触媒（マンガン錯体Ｇ）の合成−
下記構造式（７）で表される配位子０．９６ｇ（３．２ｍｍｏｌ）と、塩化マンガン４水和物０．６３ｇ（３．２ｍｍｏｌ）とを、５０ｍＬのメタノール中に溶解し、室温で１週間放置した。生成した結晶をろ過で回収し、メタノールで洗浄した後、乾燥することによりマンガン錯体Ｇを得た。収量は０．４４ｇであった。
【００５３】
【化１３】
2006061832.tif 000013
【００５４】
（実施例１〜２、及び、比較例１〜３）
表１に示す組成からなる漂白剤組成物を調製し、炭酸ナトリウムを用いてｐＨを１０に調整した。得られた漂白剤組成物の漂白効果、及び、漂白液の着色性を下記の方法により評価した。結果を表１にあわせて示す。
【００５５】
（１）漂白効果の評価
前記漂白剤組成物の漂白液５０ｍＬ中に、各種染みで汚染した試験布（３ｃｍ×３ｃｍ）３枚を浸漬し、室温にて２時間静置した。
なお、前記試験布は、平織り木綿布（＃１００）を、カレー、紅茶、コーヒー、及びホウレン草の抽出液の中に加温下で３０分間浸漬し、次いで軽く水道水ですすいだ後、室温にて自然乾燥させることにより作製した。
前記漂白液中から取り出した前記試験布を水洗いし、乾燥させた。前記試験布の浸漬前後、及び、汚染前のＬａｂ値を、ＣＨＲＯＭＡＭＥＴＥＲ（ＣＲ−３００、ＭＩＮＯＬＴＡ社製）を用いて測定し、以下の式を用いて漂白率を計算した。
漂白率（％）：（Ａ−Ｂ）／（Ａ−Ｃ）×１００
Ａは、漂白液浸漬前の試験布のＬａｂ値（Ｌ２＋ａ２＋ｂ２）１／２
Ｂは、漂白液浸漬後の試験布のＬａｂ値（Ｌ２＋ａ２＋ｂ２）１／２
Ｃは、染み汚染前の試験布のＬａｂ値（Ｌ２＋ａ２＋ｂ２）１／２
【００５６】
（２）漂白液の着色性の評価
前記（１）の試験終了後の漂白液の着色状態を目視で判断し、以下の基準により評価した。
〔評価基準〕
○  ：無色（試験前の色と変化なし）
×  ：茶褐色から黒色に着色
【００５７】
（実施例３〜５）
表１に示す組成からなる、界面活性剤を含む漂白剤組成物を調製し、実施例１と同様にして該漂白剤組成物の漂白効果、及び、漂白液の着色性を評価した。結果を表１にあわせて示す。
【００５８】
【表１】
2006061832.tif 000014
【００５９】
表１の結果から、漂白活性化触媒を含まない比較例１と比較して、本発明の漂白活性化触媒を含む実施例１〜５では、過酸化水素及び過酸化物（ペルオキシ化合物）の漂白活性が増大していることがわかった。また、アニオン性置換基を導入した配位子からなるマンガン錯体を用いた比較例２は漂白活性効果に劣り、比較例３では漂白液の着色がみられた。本発明の漂白剤組成物は、室温においても優れた漂白効果を示し、特にカレー染みに対して優れた漂白効果を示すことがわかった。
【産業上の利用可能性】
【００６０】
本発明の漂白活性化触媒は、低温において過酸化水素及び過酸化物の漂白力を活性化することができ、製造が容易で、かつ、漂白液の着色を生じさせないため、衣類などに付着した染みや汚れなどを漂白するための漂白活性化触媒として広く使用することができる。また、前記漂白活性化触媒と、過酸化水素または過酸化物とを含んでなる本発明の漂白剤組成物は、低温でも優れた漂白効果を示し、衣類などに付着した染みや汚れなどを漂白するための漂白剤組成物として広く使用することができる。